(57)【要約】【課題】補強用のアームを必要とせず、しかも外観が煩雑にならないようにして、十分な補強を行うことができる片持ち式の庇を得る。【解決手段】建物の外壁面１０に取り付けられた保持具１２と、保持具１２に基端部１４が取り付けられる庇部材１３とを備える。庇部材１３は、中空のパネル材１６が横方向に複数並べられた構成である。パネル材１６は、矩形中空断面を有する庇構成要素２１を横方向に複数並べて内部に収容した構成である。中空の庇構成要素２１における庇部材１３の基端部１４の位置の内部に、補強材２４が挿入されている。【選択図】図１
2020122333.tif 000002
【特許請求の範囲】
【請求項１】
建物の外壁面に取り付けられた保持具と、
前記保持具に基端部が取り付けられる庇部材とを備え、
前記庇部材は、中空のパネル材が横方向に複数並べられた構成であり、
前記パネル材は、矩形中空断面を有する庇構成要素を横方向に複数並べて内部に収容した構成であり、
前記中空の庇構成要素における前記庇部材の基端部の位置の内部に補強材が挿入されていることを特徴とする庇。
【請求項２】
補強材は、上下方向のリブ状部材を横方向に複数有することを特徴とする請求項１記載の庇。
【請求項３】
ねじ込まれる上下方向のねじによって、補強材が庇構成要素に固定されていることを特徴とする請求項２記載の庇。
【発明の詳細な説明】
【技術分野】
【０００１】
本発明は庇に関し、特に建物の外壁面に設けられる庇に関する。
【背景技術】
【０００２】
このような庇として、特許文献１に記載されたものが知られている。この特許文献１に記載された庇は、建物の外壁面に取り付けられた保持具によって、板状の庇部材の基端部が同外壁面に固定されている。このため庇部材は建物の外壁面に対して片持ち構造となる。
【０００３】
しかし、片持ち構造とすると庇部材の基端部に大きな応力が発生し、強度的に十分でないため、特許文献１の図１０に記載された庇では、アームを用いた補強が行われている。アームは、その一端が保持具よりも上側における外壁面の部分に取り付けられるとともに、その他端が庇部材における先端側の部分に取り付けられて、庇部材の先端側の重量を担持することで、片持ち構造の庇部材の基端部に作用する応力を緩和しようとするものである。このようなアームが、横方向すなわち水平方向に沿って複数設けられている。
【先行技術文献】
【特許文献】
【０００４】
【特許文献１】特許第３８５４６２６号明細書
【発明の概要】
【発明が解決しようとする課題】
【０００５】
しかし、特許文献１に記載されたようなアームを用いた補強構造では、補強のためのアームが特別に必要であるとともに、アームと建物の外壁面および庇板との取付け構造を準備しなければならず、さらに庇板よりも上側にアームが存在するために庇全体の外観が煩雑になってしまうという問題点がある。
【０００６】
そこで本発明は、このような問題点を解決して、補強用のアームを必要とせず、しかも外観が煩雑にならないようにして、十分な補強を行うことができる片持ち式の庇を得ることを目的とする。
【課題を解決するための手段】
【０００７】
この目的を達成するため、本発明の庇は、
建物の外壁面に取り付けられた保持具と、
前記保持具に基端部が取り付けられる庇部材とを備え、
前記庇部材は、中空のパネル材が横方向に複数並べられた構成であり、
前記パネル材は、矩形中空断面を有する庇構成要素を横方向に複数並べて内部に収容した構成であり、
前記中空の庇構成要素における前記庇部材の基端部の位置の内部に補強材が挿入されていることを特徴とする。
【０００８】
このような構成であると、庇構成要素における庇部材の基端部の位置の内部に挿入されている補強材によって、この庇構成要素すなわち庇部材を補強することができる。さらに、庇部材がパネル材と庇構成要素とによる入れ子式の二重構造であるため、パネル材と庇構成要素とを薄肉として庇部材を軽量としたうえで、所要の強度を達成することができる。
【０００９】
本発明の庇によれば、補強材は、上下方向のリブ状部材を横方向に複数有することが好適である。
【００１０】
これによって、補強材は空間を有した構成となり、空間を有しないたとえば中実の構成とする場合と比べて、所要の強度を確保したうえで軽量化を図ることができる。
【００１１】
本発明の庇によれば、上記のリブ状部材を有する庇において、ねじ込まれる上下方向のねじによって、補強材が庇構成要素に固定されていることが好適である。
【００１２】
これによって、補強材を庇構成要素に対して確実に固定させて保持させることができる。
【発明の効果】
【００１３】
本発明の庇によれば、中空の庇構成要素における庇部材の基端部の位置の内部に補強材が挿入された構成であるために、この補強材を建物の外壁面に取り付けることなしに、すなわち取付けのための特別な構造を必要とすることなしに、庇の補強を行うことができる。また補強材は、中空の庇構成要素における庇部材の基端部の位置の内部に挿入されるものであるために、外部に露出することが無く、したがって庇の外観を煩雑にさせることがないという利点がある。
【図面の簡単な説明】
【００１４】
【図１】本発明の実施の形態の庇の要部の断面図である。
【図２】図１における要部の立体図である。
【図３】図２における横断面図である。
【図４】補強材の立体図である。
【図５】図１の庇の全体を示す立体図である。
【発明を実施するための形態】
【００１５】
図５において、１０は建物の外壁面であり、この外壁面１０に本発明の実施の形態の庇１１が設けられる。庇１１は、外壁面１０に取り付けられる保持具１２と、この保持具１２に取り付けられる板状の庇部材１３とを備える。庇部材１３は、その基端部１４が保持具１２に固定される。庇部材１３の先端部は、カバー材１５にて覆われている。
【００１６】
庇部材１３は、複数のパネル材１６が庇１１の横方向すなわち水平方向に並べられた構成である。図２および図３に示すように、パネル材１６は薄肉構造の横断面矩形状の中空の部材であり、上下一対の表面板状部分１７、１７と、左右一対の側部１８、１８とを備えている。各側部１８には、隣り合うパネル材１６どうしを互いに連結するための引っ掛け構造の連結部１９が形成されている。なお、図５に示すように、庇部材１３における横方向の両端に配置されるパネル材１６ａは、両端以外の中間部に配置されるパネル材とは相違して、庇部材１３の外面側の側部１８ａには連結部が形成されていない。
【００１７】
図２および図３に示すように、横断面矩形状の中空状に形成された各パネル材１６（１６ａ）には、庇１１の横方向に複数の庇構成要素２１が、それぞれ挿入されている。これら複数の庇構成要素２１は、各パネル材１６（１６ａ）に全体に亘って挿入される必要は無く、少なくとも基端部１４に挿入されていればよい。各庇構成要素２１は、薄肉構造の横断面矩形状の中空の棒状の部材、換言すると薄肉構造の横断面矩形状の角管状の部材である。２２、２２は、庇構成要素２１における上下の位置の壁部、２３、２３は、庇構成要素２１における左右の位置の壁部である。そして、複数の庇構成要素２１は、パネル材１６に対する入れ子状の構造となっており、これによって、パネル材１６と庇構成要素２１とを薄肉として庇部材１３を軽量としたうえで、庇部材１３に所要の強度を持たせている。図２に示すように、一部の庇構成要素２１における左右の位置の壁部２３の内面には、庇構成要素２１の長さ方向のリブ２０が設けられている。図示は省略するが、パネル材１６（１６ａ）において、隣り合う庇構成要素２１、２１どうしの間には、表面板状部分１７、１７どうしを結ぶ上下方向の仕切壁が、補強を目的として形成されている。
【００１８】
庇構成要素２１における庇部材１３の基端部１４の位置に、補強材２４がはめ込み状態で挿入されている。補強材２４は、その上端面が庇構成要素２１における上側の位置の壁部２２に接触するとともに、その下端面が庇構成要素２１における下側の位置の壁部２２に接触すれば足り、それ以外の詳細な構造は任意である。図示は省略するが、たとえば無垢材にて構成することもできる。
【００１９】
図２および図４に示す例では、補強材２４は、庇構成要素２１における庇部材１３の基端部１４の位置の開口をふさぐように構成された板状のベース部材２５と、ベース部材２５から庇構成要素２１の内方に向けて突出するように設けられた複数のリブ状部材２６とを一体に有した構成となっている。これら複数のリブ状部材２６は、図２および図４に示す例では４枚だが、４枚以外であってもよい。リブ状部材２６は、後述する凹部３３（図４参照）が形成されるのであれば、どのような枚数および形状であってもよい。各リブ状部材２６は、庇１１の上下方向すなわちパネル材１６の厚み方向に形成されている。上記のように、補強材２４を庇構成要素２１にはめ込んだときに、補強材２４における上下の端面２７、すなわちベース部材２５およびリブ状部材２６における上下の端面２７が、庇構成要素２１における上側の位置の壁部２２および下側の位置の壁部２２に接触するように構成されている。隣り合うリブ状部材２６どうしの間には、空間２８がそれぞれ形成されている。ベース部材２５には、補強材２４を庇構成要素２１にはめ込んだときに、庇構成要素２１における右側および左側の位置の壁部２３、２３またはリブ２０、２０に接する第１の接触面２９と、庇構成要素２１の端面に接する第２の接触面３０とが形成されている。
【００２０】
補強材２４の中央における一対のリブ状部材２６、２６には、庇１１の上下方向に延びる突条３１、３１が、互いに近づく方向にそれぞれ一体に形成されている。これらの突条３１、３１には、図１に示すように補強材２４、庇構成要素２１およびパネル材１６を確実に固定させる目的で使用されるタッピングねじ３２のための下孔として機能する凹部３３が形成されている。図２に示すように、パネル材１６と庇構成要素２１とには、タッピングねじ３２を通すための貫通孔３４、３５がそれぞれ形成されている。
【００２１】
図１に示すように、庇１１を建物の外壁面１０に取り付けるための保持具１２は、アンカーボルト３５を用いて外壁面１０に固定されている。そして保持具１２には、パネル材１６の基端部を収容するための収容空間３６が形成されている。図２に示すように、パネル材１６と一部の庇構成要素２１とには上下方向の貫通孔３７、３８が形成されており、図１に示すように、これらの貫通孔３７、３８を通るボルト３９によって庇部材１３が保持具１２に接合されている。なお、補強材２４は、ボルト３９とは干渉しない範囲に設けられている。
【００２２】
図１に示すように、収容空間３６の上下方向の寸法は、庇部材１３すなわちパネル材１６の厚みよりも大きくなるようにされている。そして。パネル材１６と、保持具１２における収容空間３６の上部内面および下部内面との間には、それぞれくさび形のスペーサ４０、４１が配置されている。これにより、庇部材１３は、ボルト３９によって保持具１２に接合されたときに、外壁面１０から離れるにつれて下向きに傾斜する姿勢となるようにされている。
【００２３】
このような構成であると、補強材２４によって庇構成要素２１すなわち庇部材１３の基端部１４を補強することができ、すなわち保持具１２によって片持ち支持される庇部材１３の基端部を上下方向に補強することができ、したがって庇部材１３の基端部を、この庇部材１３の基端部に作用する応力から保護することができる。また、補強材２４は庇構成要素２１の基端部に挿入される構成であり、庇部材１３の外部に露出するものではないために、庇１１の外観を煩雑にさせることが無いという利点がある。
【００２４】
図示の例では、補強材２４は上下方向のリブ状部材２６を有した構成であり、このリブ状部材２６によって応力を担うようにされているため、無垢の構成であるものに比べて、所要の強度を有しながら軽量の構成とすることができる。また、補強材２４を庇構成要素２１に取り付ける際に、補強材２４における第１の接触面２９が庇構成要素２１における左右の壁部２３、２３に接するとともに、第２の接触面３０が庇構成要素２１の端面に接するため、補強材２４を確実に位置決めすることができる。
【符号の説明】
【００２５】
１２    保持具
１３    庇部材
１４    基端部
１６    パネル材
２１    庇構成要素
２４    補強材
２５    ベース部材
２６    リブ状部材
【図１】
2020122333.tif 000003
【図２】
2020122333.tif 000004
【図３】
2020122333.tif 000005
【図４】
2020122333.tif 000006
【図５】
2020122333.tif 000007